(57)【要約】【課題】構造が簡単で、興趣性や意外性が高いアクションペンを提供する。【解決手段】アクション部２０は、ペン本体１１の基端部に取り付けられ、外周にガイド面を有する柱状のガイド部材２１と、その上端部に取り付けられた出没部材２２と、筒状に形成されてガイド部材２１のガイド面２１ｅに倣って昇降し、第１位置Ｐ３において出没部材２２を内側に隠蔽するとともに第２位置Ｐ４おいて上端から出没部材２２を突出させる昇降部材２３と、ノック部１３と昇降部材２３とを連結するとともに、ノック部１３のホームポジションＰ１に対応して昇降部材２３を第１位置Ｐ３に配置し、ノック部１３の押下位置Ｐ２に対応して昇降部材２３を第２位置Ｐ４に配置する連結部材２４と、を備える。【選択図】図１
2014148080.tif 000002
【特許請求の範囲】
【請求項１】
筒状のペン本体を有する筆記部と前記ペン本体の上側の基端部に配設されたアクション部とを備え、前記ペン本体の側面に配設されたノック部の、ホームポジションと押下位置との間での押下・復帰動作に対応して、前記ペン本体の下側の先端部から芯を出し入れするとともに前記アクション部でアクションを発生させるアクションペンにおいて、
前記アクション部は、
前記ペン本体の基端部に取り付けられ、外周にガイド面を有する柱状のガイド部材と、
前記ガイド部材の上端部に取り付けられた出没部材と、
上端に前記出没部材の出入り口を有する筒状に形成されて前記ガイド部材のガイド面に倣って昇降し、上側の第１位置において前記出没部材を内側に隠蔽するとともに下側の第２位置において前記出没部材を前記出入り口から突出させる昇降部材と、
前記ノック部と前記昇降部材とを連結するとともに、前記ノック部のホームポジションに対応して前記昇降部材を前記第１位置に配置し、前記ノック部の押下位置に対応して前記昇降部材を前記第２位置に配置する連結部材と、を備える、
ことを特徴とするアクションペン。
【請求項２】
前記昇降部材は、前記出入り口を開閉するとともに閉鎖方向に付勢された蓋部材を有し、
前記ガイド部材は、前記昇降部材に対する相対的な上昇により前記蓋部材に当接して押し開ける開放部を有する、
ことを特徴とする請求項１に記載のアクションペン。
【請求項３】
前記ガイド部材は、前記出没部材をその動きを許容した状態で支持する支持部を有する、
ことを特徴とする請求項１又は２に記載のアクションペン。
【請求項４】
前記支持部は、前記ガイド部材と前記出没部材との間に介装されて前記出没部材を不安定な状態で支持する弾性部材である、
ことを特徴とする請求項３に記載のアクションペン。
【請求項５】
前記弾性部材は、前記出没部材を前記昇降部材の内面に押圧するばね部材である、
ことを特徴とする請求項４に記載のアクションペン。
【発明の詳細な説明】
【技術分野】
【０００１】
本発明は、芯を出し入れするノック部の押下・復帰動作に対応して、アクション部でアクションを発生させるアクションペンに関する。
【背景技術】
【０００２】
サイドノック式の筆記具において、ペン本体の基端部にアクション部を設けたアクションペンが知られている。
【０００３】
アクション部は、例えば、キャラクタによって構成されていて、芯を出し入れするためのノック部（操作レバー）の押下・復帰動作に対応して、キャラクタやその一部が興趣あるアクションをする。
【０００４】
例えば、特許文献１のものは、ノック部の押下・復帰動作に連動して、キャラクタが回転する。
【０００５】
このものは、ペン本体の内部に長尺の回転軸が配置されていて、この回転軸におけるペン本体の基端部から突出する部分にキャラクタが取り付けられている。ノック部には、内周面に螺旋溝が形成されたスライド部材が係合されていて、この螺旋溝には、回転軸から突出された凸部が螺合している。ノック部を押し下げると、芯が出るとともに、スライド部材が押し下げられ、その螺旋溝に凸部が螺合されている回転軸が回転する。この回転軸の回転に伴って、キャラクタが回転するようになっている。
【０００６】
図１０（Ａ）〜（Ｄ）を参照して、他のアクションペン１００について説明する。
ここで、図１０（Ａ）はノック部１０３がホームポジションＰ１に配置された状態のアクションペン１００の正面図、（Ｂ）は（Ａ）中のＸ−Ｘ線矢視図である。また、（Ｃ）はノック部１０３が押下位置Ｐ２に配置された状態のアクションペン１００の正面図、（Ｄ）は（Ｃ）中のＸ−Ｘ線矢視図である。
【０００７】
アクションペン１００は、筆記部１０１とアクション部１０２とを備えている。
筆記部１０１は、使用者によるノック部１０３のホームポジションＰ１と押下位置Ｐ２との間の押下・復帰動作に連動して、ペン本体１０４の先端部から芯１０５を出し、次の押下・復帰動作により、芯１０５を引っ込める。
【０００８】
一方、アクション部１０２は、ペン本体１０４の基端部（上端部）に固定された筒状部材１０６と、筒状部材１０６の内側に配設されたラック＆ピニオン１０７とを有している。ラック＆ピニオン１０７は、下端がノック部１０３に連結された下ラック１０７ａと、上端に頭部１０８を有する上ラック１０７ｂとの間にピニオン１０９が配設されている。
【０００９】
アクション部１０２は、ノック部１０３のホームポジションＰ１に対応して、頭部１０８が筒状部材１０６によって隠蔽されている。そして、ノック部１０３の押下動作により、下ラック１０７ａが引き下げられ、これにより、ピニオン１０９が図１０（Ｄ）中の反時計回りに回転して、上ラック１０７ｂを押し上げて、頭部１０８を筒状部材１０６の上端から突出させる。
【００１０】
この頭部１０８は、ノック部１０３の復帰動作により、下ラック１０７ａが押し上げられてピニオン１０９が時計回りに回転し、上ラック１０７ｂが引き下げられることで、筒状部材１０６内に戻る。
【００１１】
すなわち、アクションペン１００全体としては、ノック部１０３の押下・復帰動作に対応して、芯１０５を出し、この際のノック部１０３の押下動作に対応して筒状部材１０６の上端から頭部１０８を突出させ、また、復帰動作に対応して、頭部１０８を引っ込める。
【００１２】
また、ノック部１０３の次の押下・復帰動作に対応して、芯１０５を引っ込め、この際のノック部１０３の押下動作に対応して筒状部材１０６の上端から頭部１０８を突出させ、また、復帰動作に対応して、頭部１０８を引っ込める。
【００１３】
このアクションペン１００においては、ノック部１０３の押下・復帰動作に連動して、頭部１０９が突然、筒状部材１０６の上端から飛び出したり引っ込んだりするといった興趣性に加え、さらに、ノック部１０３の動作の方向と、頭部１０８の動作の方向とが、全く逆になるため、使用者に意外性を与える。
【先行技術文献】
【特許文献】
【００１４】
【特許文献１】特開２００３−１９３６７号公報
【発明の概要】
【発明が解決しようとする課題】
【００１５】
しかしながら、特許文献１によると、ノック部の押下動作に連動して、キャラクタが回転するものの、キャラクタ自体の形状が変化したり、姿勢が変化したりするものではないので、興趣性や意外性に欠けるという問題があった。
【００１６】
また、アクションペン１００においては、興趣性や意外性はあるものの、狭い筒状部材１０６内にラック＆ピニオン１０７を配設するため、構造が複雑で、各部品の高い加工精度、組立精度が要求されるという問題があった。
【００１７】
そこで、本発明は、構造が簡単で、高い加工精度や組立精度が要求されることがなく、しかも興趣性や意外性が高いアクションペンを提供することを目的とするものである。
【課題を解決するための手段】
【００１８】
請求項１に係る発明は、筒状のペン本体を有する筆記部と前記ペン本体の上側の基端部に配設されたアクション部とを備え、前記ペン本体の側面に配設されたノック部の、ホームポジションと押下位置との間での押下・復帰動作に対応して、前記ペン本体の下側の先端部から芯を出し入れするとともに前記アクション部でアクションを発生させるアクションペンにおいて、前記アクション部は、前記ペン本体の基端部に取り付けられ、外周にガイド面を有する柱状のガイド部材と、前記ガイド部材の上端部に取り付けられた出没部材と、上端に前記出没部材の出入り口を有する筒状に形成されて前記ガイド部材のガイド面に倣って昇降し、上側の第１位置において前記出没部材を内側に隠蔽するとともに下側の第２位置において前記出没部材を前記出入り口から突出させる昇降部材と、前記ノック部と前記昇降部材とを連結するとともに、前記ノック部のホームポジションに対応して前記昇降部材を前記第１位置に配置し、前記ノック部の押下位置に対応して前記昇降部材を前記第２位置に配置する連結部材と、を備える、ことを特徴とする。
【００１９】
請求項２に係る発明は、請求項１に係るアクションペンにおいて、前記昇降部材は、前記出入り口を開閉するとともに閉鎖方向に付勢された蓋部材を有し、前記ガイド部材は、前記昇降部材に対する相対的な上昇により前記蓋部材に当接して押し開ける開放部を有する、ことを特徴とする。
【００２０】
請求項３に係る発明は、請求項１又は２に係るアクションペンにおいて、前記ガイド部材は、前記出没部材をその動きを許容した状態で支持する支持部を有する、ことを特徴とする。
【００２１】
請求項４に係る発明は、請求項３に係るアクションペンにおいて、前記支持部は、前記ガイド部材と前記出没部材との間に介装されて前記出没部材を不安定な状態で支持する弾性部材である、ことを特徴とする。
【００２２】
請求項５に係る発明は、請求項４に係るアクションペンにおいて、前記弾性部材は、前記出没部材を前記昇降部材の内面に押圧するばね部材である、ことを特徴とする。
【発明の効果】
【００２３】
請求項１の発明によれば、ノック部と昇降部材とを連結部材で連結して、ノック部の押下動作により昇降部材を下降させることで、相対的に出没部材を上昇させて出入り口から突出させ、また、ノック部の復帰動作により昇降部材を上昇させることで、相対的に出没部材を下降させて昇降部材の内側に引っ込めることができる。すなわち、ノック部と昇降部材とを連結部材で連結するといった簡単で高い精度が不要な構造でありながら、ノック部の動作方向と、逆の方向に出没部材を移動させることができるため、使用者に高い興趣性、意外性を付与することができる。
【００２４】
請求項２の発明によれば、ノック部の押下動作に伴う昇降部材の下降により、ガイド部材が相対的に上昇して開放部が蓋部材を押し開くので、使用者にとっては、それまで蓋部材で隠されていた出没部材が、蓋部材の開放とともに突然、突出されるため、興趣性をさらに増すことができる。
【００２５】
請求項３の発明によれば、突出された出没部材が動くため、さらに興趣性を増すことができる。
【００２６】
請求項４の発明によれば、ガイド部材と出没部材との間に弾性部材を介装して、弾性部材により出没部材を不安定に支持することにより、突出した出没部材の動きをさらに面白いものとすることができる。
【００２７】
請求項５の発明によれば、出没部材がばね部材によって昇降部材の内面に押圧されているため、出没部材は昇降部材の上端から上方に突出された際に、これに加え、さらに、付勢方向に移動して出没部材の上端から横方向（外側）に迫り出すことができ、さらに興趣性、意外性を増すことができる。
【図面の簡単な説明】
【００２８】
【図１】（Ａ），（Ｂ）はノック部１３がホームポジションＰ１に配置された状態の実施形態１のアクションペン１を示す図であり、（Ａ）は正面図、（Ｂ）は（Ａ）中のＸ−Ｘ線矢視図である。
【図２】（Ａ）〜（Ｄ）はノック部１３が押下位置Ｐ２に配置された状態の実施形態１のアクションペン１を示す図であり、（Ａ）は正面図、（Ｂ）は（Ａ）中のＸ−Ｘ線矢視図、（Ｃ）は右側面図、（Ｄ）は斜視図である。
【図３】実施形態１のアクションペン１におけるアクション部２０の分解斜視図である。
【図４】（Ａ）〜（Ｃ）はノック部１３がホームポジションＰ１に配置された状態の実施形態２のアクションペン２を示す図であり、（Ａ）は正面図、（Ｂ）は右側面図、（Ｃ）は斜視図である。
【図５】（Ａ）〜（Ｃ）はノック部１３が押下位置Ｐ２に配置された状態の実施形態２のアクションペン２を示す図であり、（Ａ）は正面図、（Ｂ）は右側面図、（Ｃ）は斜視図である。
【図６】（Ａ），（Ｂ）はノック部１３がホームポジションＰ１に配置された状態の実施形態３のアクションペン３を示す図であり、（Ａ）は正面図、（Ｂ）は斜視図である。
【図７】（Ａ），（Ｂ）はノック部１３が押下位置Ｐ２に配置された状態の実施形態３のアクションペン３を示す図であり、（Ａ）は正面図、（Ｂ）は斜視図である。
【図８】実施形態４のアクションペン４の弾性部材（支持部）３８を説明する図である。
【図９】実施形態５のアクションペンのばね部材（弾性部材、支持部）４３を説明する図である。
【図１０】（Ａ），（Ｂ）はノック部１０３がホームポジションＰ１に配置された状態の従来のアクションペン１００を示す図であり、（Ａ）は正面図、（Ｂ）は（Ａ）中のＸ−Ｘ線矢視図である。また、（Ｃ），（Ｄ）はノック部１０３が押下位置Ｐ２に配置された状態の従来のアクションペン１００を示す図であり、（Ｃ）は正面図、（Ｄ）は（Ｃ）中のＸ−Ｘ線矢視図である。
【発明を実施するための形態】
【００２９】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３０】
図１〜図３を参照して本発明を適用した実施形態１に係るアクションペン１について説明する。
【００３１】
このうち、図１（Ａ），（Ｂ）はノック部１３がホームポジションＰ１に配置された状態の実施形態１のアクションペン１を示す図であり、（Ａ）は正面図、（Ｂ）は（Ａ）中のＸ−Ｘ線矢視図である。
【００３２】
また、図２（Ａ）〜（Ｄ）はノック部１３が押下位置Ｐ２に配置された状態の実施形態１のアクションペン１を示す図であり、（Ａ）は正面図、（Ｂ）は（Ａ）中のＸ−Ｘ線矢視図、（Ｃ）は右側面図、（Ｄ）は斜視図である。
【００３３】
また、図３は、実施形態１のアクションペン１におけるアクション部２０の分解斜視図である。
【００３４】
なお、以下の説明では、図１〜図３における下側をアクションペン１の先端側（下端側）、上側をアクションペン１の基端側（上端側）として説明する。
【００３５】
アクションペン１は、上下方向に長い筆記部１０と、この筆記部１０の基端部（上端部）に配設されたアクション部２０とを備えて構成されている。
【００３６】
アクションペン１は、筆記部１０と、アクション部２０とを備えて構成されている。
筆記部１０は、図１に示すように、上下に延びる筒状のペン本体１１と、ペン本体１１の内側に収納されて筆記に供される芯１２と、芯１２を出し入れするために使用者が指で操作するノック部（操作レバー）１３と、ノック部１３の動作に連動して芯１２を出し入れする回転芯出し機構１４と、を有している。
【００３７】
ペン本体１１は、軸心Ｃに沿って上下方向に延びる筒状（円筒状）に形成されており、下端（先端）には下キャップ１５が螺合されている。下キャップ１５の中心には、芯１２の下端側がスライドして出入り可能な透孔１５ａが形成されていて、芯１２は、その下端を、この透孔１５ａの下端から出入りさせる。また、芯１２の下端側には凸部１２ａが形成されていて、芯１２は、この凸部１２ａと下キャップ１５との間に介装された圧縮ばね１６によって上方に付勢されている。芯１２の上端には、後述する回転芯出し機構１４の回転体１４ｂが係合されている。
【００３８】
ペン本体１１の上端部（基端部）には、ほぼ円筒状の筒状部材１７が昇降可能に配設されている。筒状部材１７は、上半部１７ａが上向きに開口する円筒状に形成され、下半部１７ｂは下向きに開口する円筒状に形成されている。上半部１７ａには後述する、アクション部２０の連結部材２４が係合されている。筒状部材１７の下半部１７ｂには、後述する回転芯出し機構１４の昇降体１４ａが下方から挿入されている。
【００３９】
ノック部１３は、ペン本体１１の上端側の側面に設けられている。ペン本体１１の上端側の側面には、上下方向に長いガイド溝１１ａが形成されている。ノック部１３は、例えば、使用者の衣類のポケット等に引っ掛ける際に使用されるクリップを兼用していて、上端の裏面側（後側）から後方に延びる連結部１３ａがガイド溝１１ａを貫通して、筒状部材１７に固定されている。
【００４０】
ノック部１３は、上述の圧縮ばね１６により、芯１２、後述する回転芯出し機構１４の回転体１４ｂ、昇降体１４ａ、筒状部材１７を介して、上方に付勢された状態で、図１（Ａ），（Ｂ）に示すホームポジションＰ１に配置されている。また、ノック部１３は、使用者の指による図２（Ａ）中の押下方向（矢印Ｋ１方向）への押下動作（ノックダウン）によって、図２（Ａ）〜（Ｄ）に示す押下位置Ｐ２に移動される。また、指を離すと、圧縮ばね１６により、押下位置Ｐ２からホームポジションＰ１に復帰動作（ノックアップ）する。
【００４１】
回転芯出し機構１４は、昇降体１４ａと、回転体１４ｂと、上述のペン本体１１の内周面に形成されて昇降体１４ａの昇降動作をガイドするガイド溝１４ｃとを有している。ガイド溝１４ｃは、深い溝と浅い溝とが周方向に沿って交互に形成されている。なお、回転芯出し機構１４は、一般的なボールペン等に使用されている周知の機構であるのでその詳細についての説明は省略する。
【００４２】
回転芯出し機構１４は、使用者の指によるノック部１３の押下動作に伴い、ノック部１３と一体の筒状部材１７が下降し、圧縮ばね１６が短縮されて昇降体１４ａが下降する。さらに、昇降体１４ａは、回転体１４ｂに回転力を付与しながら下降させるが、回転体１４ｂはガイド溝１４ｃにガイドされている間は回転しない。そして、回転体１４ｂは、ガイド溝１４ｃに沿って下降し、ガイド溝１４ｃの下端から外れると「カチッ」という音とともに回転し、芯１２を介して圧縮ばね１６により上方に付勢されてガイド溝１４ｃに引っかかる。これにより、芯１２は、下キャップ１５の透孔１５ａから下端（先端）を突出させる。
【００４３】
その後、使用者がノック部１３から指を離すと芯１２は突出状態を維持し、また、ノック部１３はホームポジションＰ１に復帰する。回転芯出し機構１４は、同様に、使用者によるノック部１３の次の押下動作により、上述の回転体１４ｂが回転して深いガイド溝１４ｃに入り込むことで芯１２を引っ込めることができる。
【００４４】
なお、筆記部１０としては、上述の回転芯出し機構１４を有するものに限定されるものではなく、ノック部１３の押下動作によって筒状部材１７が下降し、ノック部１３の復帰動作によって筒状部材１７が上昇するものであれば、他の構成のものを使用することが可能である。例えば、ノック部１３を押下動作させると、ノック部１３は下降位置で停止されて、芯１２を出し、その後、ノッチ（不図示）を押すことで、ノック部１３がばねの付勢力でホームポジションに復帰し、同時に筒状部材１７が上昇するような構成のものを採用することもできる。
【００４５】
なお、筆記部１０としては、ボールペン、シャープペンシル、万年筆等を使用することができる。
アクション部２０は、筆記部１０の上側の基端部に配設されている。
【００４６】
アクション部２０は、柱状のガイド部材２１と、出没部材としての頭部２２と、筒状の昇降部材２３と、連結部材２４とを備えて構成されている。
【００４７】
図３に示すように、ガイド部材２１は、２つの縦割りのパーツ２１Ａ，２１Ｂを嵌合させてほぼ柱状（円柱状）に形成されている。ガイド部材２１は、下側に小径部２１ａを有し、上側に大径部２１ｂを有している。下側の小径部２１ａは、筒状のペン本体１１の上端部の内側に嵌合されている。小径部２１ａの内側には、上述の筒状部材７の上半部１７ａが昇降可能に配設されている。
【００４８】
ガイド部材２１の大径部２１ｂの上端部（上端面）には、中央に、頭部２２が嵌合される円柱状の支持部２１ｃが上方に向けて突設されている。また、大径部２１ｂの上端部における後部には、棒状の開放部２１ｄが上方を向けて突設されている。この開放部２１ｄは、後述の蓋部材２３ｂを下方から突き上げるものである。ガイド部材２１の大径部２１ｂの外周面は、後述する昇降部材２３の昇降動作をガイドするガイド面２１ｅとなっている。また、大径部２１ｂにおける前端側と後端側とには、上下方向に長いガイド溝２１ｆ，２１ｆが形成されている。これらガイド溝２１ｆ，２１ｆは、後述する連結部材２４の一部（被ガイド部）の昇降動作をガイドするものである。
【００４９】
出没部材としての頭部２２は、下面に嵌合凹部（不図示）が形成されていて、この嵌合凹部を上述の昇降部材２１の支持部２１ｃに嵌合させることで、昇降部材２１に取り付けられている。つまり、頭部２２は、ガイド部材２１と一体的に構成されていて、後述する昇降部材２３の相対的な下降に伴って、ガイド部材２１とともに相対的に上昇し、また、昇降部材２３の相対的な上昇に伴って、ガイド部材２１とともに相対的に下降するようになっている。
【００５０】
昇降部材２３は、２つの縦割りのパーツ２３Ａ，２３Ｂを嵌合させることで、ほぼ筒状（円筒状）に形成されている。昇降部材２３は、土管を模して、上端近傍が大径に形成されている。昇降部材２３は、上端及び下端が開口されていて、このうち上端の開口部は、後述するように、頭部２２の出入り口２３ａとなっている。
【００５１】
昇降部材２３は、出入り口２３ａを開閉する蓋部材２３ｂを有している。昇降部材２３の上端部の外周には、後方に向かって軸受部２３ｃ，２３ｃが突設されている。一方、蓋部材２３ｂには、支持突起２３ｄ，２３ｄが形成されていて、これら支持突起２３ｄ，２３ｄと、上述の軸受部２３ｃ，２３ｃには、共通のピン２３ｅが貫通されている。また、ピン２３ｅにおける支持突起２３ｄ，２３ｄ間に位置する部分には、捩じりコイルばね２３ｆが嵌められている。蓋部材２３ｂは、ピン２３ｅによって揺動自在に支持されて、出入り口２３ａを開閉することができるとともに、捩じりコイルばね２３ｆによって、閉方向に付勢されている。
【００５２】
さらに、昇降部材２３の内周面における前端側と後端側の、上下方向のほぼ中央には、係合凹部２３ｇ，２３ｈ（図１（Ｂ）参照）が形成されている。これら係合凹部２３ｇ，２３ｈには、次に説明する連結部材２４の一部が係合されている。
【００５３】
昇降部材２３は、ガイド部材２１のガイド面２１ｅに倣って、図１（Ａ），（Ｂ）に示す上側の第１位置Ｐ３と、図２（Ａ）〜（Ｄ）に示す下側の第２位置Ｐ４との間を昇降できるようになっている。昇降部材２３は、第１位置Ｐ３に配置された際、頭部２２を内側に隠蔽し、また、第２位置Ｐ４に配置された際に、頭部２２を出入り口２３ａから突出させる。
【００５４】
連結部材２４は、ほぼ「Ｔ」字形に形成されていて、下端の円柱部２４ａは、筆記部１０側のノック部１３と一体の筒状部材１７の上半部１７ａの内側に嵌合されている。一方、連結部材２４の前端部２４ｂ及び後端部２４ｃは、ガイド部材２１のガイド溝２１ｆ，２１ｆをそれぞれ貫通して、昇降部材２３の内面の係合凹部２３ｇ，２３ｈ（図１（Ｂ）参照）に係合されている。すなわち、連結部材２４は、筒状部材１７を介して、ノック部１３と昇降部材２３とを一体的に連結している。これにより、ノック部１３と筒状部材１７と連結部材２４と昇降部材２３とは一体となって運動する。
【００５５】
上述のアクションペン１は、以下のように作用（動作）する。
まず、ペン本体１１、ガイド部材２１、頭部２２等は、一体的に構成されている。そして、これらに対して、ノック部１３、連結部材２４、昇降部材２３等が一体になって運動（移動）する。
【００５６】
アクションペン１は、筆記に供される前は、図１（Ａ），（Ｂ）に示すように、ノック部１３がホームポジションＰ１に配置されている。このとき、筆記部１０においては、芯１２は先端が引っ込み、アクション部２０においては、昇降部材２３は上側の第１位置Ｐ３に配置されている。これにより、頭部２２は、昇降部材２３の内側に配置され、さらに、昇降部材２３の出入り口２３ａが蓋部材２３ｂによって閉じられているため、使用者は外部から頭部２２を視認することができない。
【００５７】
筆記を行うために、使用者がノック部１３に指を掛けて、図２（Ａ）〜（Ｄ）に示す押下位置Ｐ２に押し下げると、回転芯出し機構１４により、芯１２の先端が突出され、さらに、使用者がノック部１３から指を離すと、圧縮ばね１６により、ノック部１３がホームポジションＰ１に復帰するが、芯１２はそのまま、筆記可能な突出状態を維持する。
【００５８】
なお、突出状態の芯１２は、ノック部１２の次の押下・復帰動作により、引っ込めることができる。
【００５９】
アクション部２０では、ノック部１３の押下・復帰動作に対応して、土管に見立てた昇降部材２３から頭部２２が出入りする。
【００６０】
図１（Ｂ），図２（Ｂ）に示すように、ノック部１３がホームポジションＰ１から押下位置Ｐ２に押し下げられると、ノック部１３と一体の昇降部材２３は、上側の第１位置Ｐ３から下側の第２位置Ｐ４に下降する。一方、ガイド部材２１、頭部２２は移動しない。このため、これらガイド部材２１、頭部２２が、昇降部材２３に対して相対的に図２（Ａ）に示す突出方向（矢印Ｋ２方向）に上昇することになる。
【００６１】
このガイド部材２１、頭部２２の相対的な上昇により、ガイド部材２１の開放部２１ｄが蓋部材２３ｂを押し開いて出入り口２３ａを徐々に開放していき、これと並行して頭部２２が出入り口２３ａから徐々に突設されていく。そして、ノック部１３が押下位置Ｐ２に配置されて、昇降部材２３が下側の第２位置Ｐ４に配置されたときに、頭部２２の上昇が終了する。
【００６２】
また、ノック部１３が押下位置Ｐ２からホームポジションＰ１へ復帰（上昇）すると、昇降部材２３が第２位置Ｐ４から第１位置Ｐ３に上昇し、この昇降部材２３に対して、ガイド部材２１、頭部２２が相対的に下降する。これにより、ガイド部材２１、頭部２２が昇降部材２３の内側に引っ込み、出入り口２３ａが蓋部材２３ｂによって閉じられる。
【００６３】
上述のアクションペン１は、以下のような効果を奏する。
（１）使用者によって操作されるノック部１３の押下・復帰動作（下降・上昇動作）に対応して、頭部２２が上昇・下降するというように、逆方向に動作するように見えるため、使用者にとって、興趣性、意外性の高いものとなる。
（２）（１）の効果を、ラック＆ピニオン等の複雑な構成を採用することなく、ノック部１３と昇降部材２３とを連結部材２４で連結するといった簡単な構成で実現することができる。
（３）昇降部材２３は、頭部２２が出入りする出入り口２３ａを開閉する蓋部材２３ｂを有しているので、蓋部材２３ｂの閉鎖時には、外部から頭部２２を視認することができず、また、頭部２２の突出時には蓋部材２３が開放されて頭部２２が突出されるので、興趣性、意外性を増すことができる。
【００６４】
上述の実施形態において、出没部材は、頭部２２に限定されるものではない。昇降部材２３の出入り口２３ａから出入りした際に使用者が面白いと感じるものであれば、他の任意のもの、例えば、動物や花等も模したものであってもよい。
【００６５】
上述では、頭部２２は、ガイド部材２１の支持部２１ｃを円柱状に形成して、これに頭部２２を嵌合させたが、これに代えて、例えば、支持部を球状に形成し、これに頭部２２を遊嵌させるようにしてもよい。これによると、頭部２２が３次元的に動くことができる。また、支持部は、頭部２２を前後方向に揺動可能に支持するものであってもよい。
＜実施形態２＞
【００６６】
図４，図５を参照して本発明を適用した実施形態２に係るアクションペン２について説明する。
【００６７】
ここで、図４（Ａ）〜（Ｃ）はノック部１３がホームポジションＰ１に配置された状態の実施形態２のアクションペン２を示す図であり、（Ａ）は正面図、（Ｂ）は右側面図、（Ｃ）は斜視図である。
【００６８】
また、図５（Ａ）〜（Ｃ）はノック部１３が押下位置Ｐ２に配置された状態の実施形態２のアクションペン２を示す図であり、（Ａ）は正面図、（Ｂ）は右側面図、（Ｃ）は斜視図である。
【００６９】
アクションペン２は、筆記部１０と、その基端部に配設されたアクション部２０とを備えて構成されている。なお、筆記部１０については、上述の実施形態１の筆記部１０と同様であるので説明は省略する。
【００７０】
アクション部２０は、筆記部１０のペン本体１１の基端部（上端部）に取り付けられたガイド部材２５と、ガイド部材２５の上端部に取り付けられた出没部材としての頭部２６と、ガイド部材２５の外周に沿って昇降可能な筒状の昇降部材２７とを備えている。この昇降部材２７とノック部１３とは、連結部材（図１（Ａ）参照）によって連結されている。
【００７１】
また、昇降部材２７の外周面には、腕部２７ａ，２７ａと脚部２７ｂ，２７ｂが設けられていて、昇降部材２７がキャラクタの胴部に見立てられている。さらに、昇降部材２７の外周面における後部の下端部には、尻尾部２７ｃが軸受部２７ｄによって揺動可能に支持されている。尻尾部２７ｃは、その基端側の一部（不図示）が、昇降部材２７の内側に挿入されていて、この一部が昇降部材２７の昇降動作に伴ってガイド部材２５に係脱する。尻尾部２７ｃは、これにより、図４（Ｃ）に示す起立位置と、図５（Ｃ）に示す倒伏位置との間を揺動することができる。
【００７２】
上述構成のアクションペン２は、ノック部１３の、ホームポジションＰ１から押下位置Ｐ２への押下動作（図５（Ａ）中の矢印Ｋ１方向）に連動して、昇降部材２７が上側の第１位置Ｐ３から下側の第２位置Ｐ４に下降し、これにより、頭部２６が図５（Ａ）中の矢印Ｋ２方向に上昇し、昇降部材２７の上端から突出されるとともに、尻尾部２７ｃが起立位置から倒伏位置に移動する。
【００７３】
一方、アクションペン２は、ノック部１３の、押下位置Ｐ２からホームポジションＰ１への復帰動作（上昇動作）に連動して、昇降部材２７が下側の第２位置Ｐ４から上側の第１位置Ｐ３に上昇し、これにより、頭部２６が昇降部材２７の上端から引っ込むとともに、尻尾部２７ｃが倒伏位置から起立位置に移動する。
【００７４】
上述のアクションペン２は、ノック部１３の移動方向と、頭部２６の移動方向とが逆になるという意外性に加え、さらに頭部２６に近い尻尾部２７ｃが頭部２６に対してほぼ逆方向に移動するという意外性が付加される。
＜実施形態３＞
【００７５】
図６，図７を参照して本発明を適用した実施形態３に係るアクションペン３について説明する。
【００７６】
ここで、図６（Ａ），（Ｂ）はノック部１３がホームポジションＰ１に配置された状態の実施形態３のアクションペン３を示す図であり、（Ａ）は正面図、（Ｂ）は斜視図である。
【００７７】
また、図７（Ａ），（Ｂ）はノック部１３が押下位置Ｐ２に配置された状態の実施形態３のアクションペン３を示す図であり、（Ａ）は正面図、（Ｂ）は斜視図である。
【００７８】
アクションペン３は、筆記部１０と、その基端部に配設されたアクション部２０とを備えて構成されている。なお、筆記部１０については、上述の実施形態１の筆記部１０と同様であるので説明は省略する。
【００７９】
アクション部２０は、筆記部１０のペン本体１１の基端部（上端部）に取り付けられたガイド部材２８と、ガイド部材２８の上端部に取り付けられた出没部材としての頭部２９と、ガイド部材２５の外周に沿って昇降可能な筒状の昇降部材３０とを備えている。この昇降部材３０とノック部１３とは、連結部材（図１（Ａ）参照）によって連結されている。
【００８０】
また、昇降部材２７の外周面には、腕部３０ａ，３０ａが軸受部３０ｂによって揺動可能に支持されている。昇降部材３０は、キャラクタの胴部に見立てられている。各腕部３０ａは、その基端側の一部（不図示）が、昇降部材３０の内側に挿入されていて、この一部が昇降部材３０の昇降動作に伴ってガイド部材２８に係脱する。これにより、図６（Ａ），（Ｂ）に示す起立位置と、図７（Ａ），（Ｂ）に示す倒伏位置との間を揺動することができる。
【００８１】
上述構成のアクションペン３は、ノック部１３の、ホームポジションＰ１から押下位置Ｐ２への押下動作に連動して、昇降部材３０が上側の第１位置Ｐ３から下側の第２位置Ｐ４に下降し、これにより、頭部２９が昇降部材３０の上端から突出されるとともに、腕部３０ａが起立位置から倒伏位置に移動する。
【００８２】
一方、アクションペン３は、ノック部１３の、押下位置Ｐ２からホームポジションＰ１への復帰動作（上昇動作）に連動して、昇降部材３０が下側の第２位置Ｐ４から上側の第１位置Ｐ３に上昇し、これにより、頭部２９が昇降部材３０の上端から引っ込むとともに、腕部３０ａが倒伏位置から起立位置に移動する。
【００８３】
上述のアクションペン３は、ノック部１３の移動方向と、頭部２９の移動方向とが逆になるという意外性に加え、さらに頭部２９に近い腕部３０ａが頭部２９に対してほぼ逆方向に移動するという意外性が付加される。
＜実施形態４＞
【００８４】
図８を参照して本発明を適用した実施形態４に係るアクションペン４について説明する。
【００８５】
ここで、図８は、実施形態４のアクションペン４の弾性部材（支持部）３８を説明する図である。
上述の実施形態１では、ガイド部材２１の上部に設けられて頭部２２を支持する支持部として円柱状の支持部２１ｃが設けられていた。
【００８６】
本実施形態では、これに代えて、コイルばね等の弾性部材３８によって支持部を形成している。弾性部材３８は、その下端がガイド部材３５の上部に固定され、上端が頭部３７に固定されている。
【００８７】
これにより、頭部３７が昇降部材３６の上端の出入り口３６ａから突出された際に、不安定な状態、すなわち、頭部２７が前後左右に揺れるようにすることができる。
【００８８】
これにより、一層、興趣を増すことができる。
＜実施形態５＞
【００８９】
図９を参照して本発明を適用した実施形態５に係るアクションペン５について説明する。
【００９０】
ここで、図９は、実施形態５のアクションペン５の支持部４３を説明する図である。
上述の実施形態１では、ガイド部材２１の上部に設けられて頭部２２を支持する支持部として円柱状の支持部２１ｃが設けられていた。
【００９１】
本実施形態では、これに代えて、板ばね等のばね部材４３によって、弾性部材（支持部）を形成している。ばね部材４３は、その下端がガイド部材４０の上部に固定され、上端が頭部４２に固定されている。
【００９２】
これにより、頭部４２は、ノック部１３のホームポジションＰ１（図１（Ｂ）参照）に対応して、昇降部材４１の内側に隠蔽されているときには、支持部４３によって付勢されて昇降部材４１の内周面に押圧されている。このため、頭部４２は、ノック部１３が押下位置Ｐ２に移動されて昇降部材４１が下降し、ガイド部材４０が相対的に二点鎖線で示す位置に上昇して昇降部材４１の出入り口４１ａから突出されたときには、二点鎖線で示すように、昇降部材４１の上端から付勢方向（矢印Ｋ３方向）に迫り出すようにして突出する。
【００９３】
これにより、一層、興趣を増すことができる。
【符号の説明】
【００９４】
１，２，３，４，５  アクションペン
１０    筆記部
１１    ペン本体
１２    芯
１３    ノック部
２０    アクション部
２１，２５，２８，３５，４０  ガイド部材
２１ｃ  支持部
２１ｅ  ガイド面
２１ｄ  開放部
２２，２６，２９，３７，４２  頭部（出没部材）
２３，２７，３０，３６，４１  昇降部材
２３ａ，３６ａ，４１ａ  出入り口
２３ｂ  蓋部材
２４    連結部材
３８    弾性部材（支持部）
４３    ばね部材（弾性部材，支持部）
Ｐ１    ホームポジション
Ｐ２    押下位置
Ｐ３    第１位置
Ｐ４    第２位置
【図１】
2014148080.tif 000003
【図２】
2014148080.tif 000004
【図３】
2014148080.tif 000005
【図４】
2014148080.tif 000006
【図５】
2014148080.tif 000007
【図６】
2014148080.tif 000008
【図７】
2014148080.tif 000009
【図８】
2014148080.tif 000010
【図９】
2014148080.tif 000011
【図１０】
2014148080.tif 000012